(57)【要約】【課題】ログハウス２０の外壁２１を構成するために有効であって、建築当初は勿論、長期間使用後の乾燥があっても、水３０の浸み込みを確実に防止することができ、従来から使用されている工作機械でも容易に形成できる木質壁材１０を、簡単な構成によって提供すること。【解決手段】木質壁材１０の外側面１１の前記長尺方向に、下側の木質壁材１０における裁置上面１３の外側端縁より突出する突出部１４を連続的に形成して、この突出部１４を伝ってきた水３０が、当該木質壁材１０と下側の木質壁材１０との境界部分に浸み込み得ないようにしたこと。【選択図】図２
2012077455.tif 000002
【特許請求の範囲】
【請求項１】
外界と部屋とを区画するために、長尺方向を水平にしながら上下に複数積み重ねられて、ログハウスの外壁を構成することになる木質壁材であって、
この木質壁材の外側面の前記長尺方向に、下側の木質壁材における裁置上面の外側端縁より突出する突出部を連続的に形成して、この突出部を伝ってきた水が、当該木質壁材と前記下側の木質壁材との境界部分に浸み込み得ないようにしたことを特徴とする木質壁材。
【請求項２】
前記突出部は、前記外側面を下方外側に向かう傾斜面とすることにより形成したことを特徴とする請求項１に記載の木質壁材。
【請求項３】
前記木質壁材の裁置下面の、前記突出部が露出している部分に、隔離溝を前記長尺方向に形成したことを特徴とする請求項１または請求項２に記載の木質壁材。
【発明の詳細な説明】
【技術分野】
【０００１】
本発明は、ログハウスの外壁を構成するための材料に関し、特に間伐材を利用した木質壁材に関するものである。
【背景技術】
【０００２】
近年、日本の山林は荒れてきているが、その最大の原因は木材価格が低迷していることであり、切り出した木材が安い価格でしか取引されないから、山林から木を切り出すための林道建設もままならない状況である。発明者は、この山林の荒廃や低迷している木材価格を何とかしようとして、それ程手間を掛けないで済むログハウス用の材料として、間伐材の有効利用を検討した。
【０００３】
このようなログハウス用の材料としては、特許文献１にも提案がなされている。この特許文献１には、「ログハウス用木材」に関する発明が提案されており、この発明では、図８にも示すように、「長尺の木材からなり、その長手方向を水平方向に沿わせて複数積み上げられてログハウスの壁面を構成するとともに、積み上げられた状態で上面部および下面部となる一対の部分に、互いに連結可能な一対の連結部を設けているログハウス用木材において、上記一対の連結部のうちの一方が長手方向に沿って延びる複数の溝からなるとともに、他方が上記溝に嵌まり合うことのできる複数の突条からなり、且つ全体が一体の木材によって形成されていること」を構成としているものである。
【先行技術文献】
【特許文献】
【０００４】
【特許文献１】特開平０５−２５８６８号公報、要約、代表図
【発明の概要】
【発明が解決しようとする課題】
【０００５】
この特許文献１にて提案されている「ログハウス用木材」は、「長期の使用においても突条３と溝４とのなじみが良く、積み上げられたログハウス用木材Ａ同士の間に、隙間やがたつきが生じない。複数組みの突条３および溝４により雨の侵入を防止でき、したがって、コーキング処理等を不要として組立コストを安くできる。」ものであるが、「全体を一体の木材によって形成した」ものであるため、以下の問題を生ずることがあると考えられる。
【０００６】
つまり、このログハウス用木材は、「複数組みの突条３および溝４により雨の侵入を防止でき」るとはしているものの、その長手方向を水平方向に沿わせて複数積み上げられてログハウスの壁面を構成するものであるため、図７に示すように、上下のログハウス用木材の間に雨水の一部が「毛細管現象」によって浸み込むことになり、この浸透水が外面とは異なってなかなか乾燥しないのである。また、このログハウスを長期間使用すると、各ログハウス用木材自体が乾燥して小さくなるから、「複数組みの突条３および溝４」の間は除々に開くことになって、より一層雨水の浸み込みを可能にすると考えられる。
【０００７】
そして、ログハウス用木材の間に浸み込んでなかなか乾燥しない雨水は、当該ログハウス用木材をだんだん腐れさせることになり、ログハウス用木材間の隙間を大きくして雨水の浸み込みをより促進することになる。要するに、「複数組みの突条３および溝４により雨の侵入を防止でき」るのは、当該ログハウスの建築当初だけであると考えられる。
【０００８】
そこで、本発明者等は、ログハウスの材料として間伐材を有効利用しながら、（雨）水の浸み込みを確実に防止するにはどうしたらよいか、について種々検討を重ねてきた結果、本発明を完成したのである。
【０００９】
すなわち、本発明の目的とするところは、ログハウスの外壁を構成するために有効であって、建築当初は勿論、長期間使用後の乾燥があっても、水の浸み込みを確実に防止することができ、従来から使用されている工作機械でも容易に形成できる木質壁材を、簡単な構成によって提供することにある。
【課題を解決するための手段】
【００１０】
以上の課題を解決するために、まず、請求項１に係る発明の採った手段は、後述する最良形態の説明中で使用する符号を付して説明すると、
「外界と部屋とを区画するために、長尺方向を水平にしながら上下に複数積み重ねられて、ログハウス２０の外壁２１を構成することになる木質壁材１０であって、
この木質壁材１０の外側面１１の前記長尺方向に、下側の木質壁材１０における裁置上面１３の外側端縁より突出する突出部１４を連続的に形成して、この突出部１４を伝ってきた水３０が、当該木質壁材１０と下側の木質壁材１０との境界部分に浸み込み得ないようにしたことを特徴とする木質壁材１０」
である。
【００１１】
すなわち、この請求項１に係る木質壁材１０は、上記特許文献１のそれと同様に、外界と部屋とを区画するために、長尺方向を水平にしながら上下に複数積み重ねられて、図１に示すログハウス２０の外壁２１を構成することになるものであるが、特に、この木質壁材１０の外部、つまり水３０と直接接することになる外側面１１にだけ次のような加工を施したものである。
【００１２】
この木質壁材１０では、図２〜図６に示すように、外側面１１の下部外側に突出部１４を連続的に形成したものである。この突出部１４は、下側の木質壁材１０における裁置上面１３の外側端縁より突出するものであり、図２〜図６に示すような種々な態様が考えられるものである。
【００１３】
この突出部１４のもっとも簡単な態様は、図２の（ａ）及び（ｂ）に示すように、木質壁材１０の外側垂直面である外側面１１の下端部外側に、外側に向けて突出して、断面が長方形（図２の実線で示した形状）または三角形状（図２の（ｂ）中の仮想線で示した形状）のものとすることである。このような形状に形成した突出部１４は、下側の木質壁材１０における裁置上面１３の外側端縁より長尺方向に連続して突出することになるから、雨などの水３０が各外側面１１を伝って流れ落ちれば、この突出部１４に到達した水３０は、図２の（ｂ）に示すように、この突出部１４の最外端から落下することになる。
【００１４】
この突出部１４の最外端は、下側の木質壁材１０における裁置上面１３の外側端縁より長尺方向に連続して突出しているのであるから、各木質壁材１０の外側面１１が鉛直方向に配置されていたとしても、この突出部１４の突出量Ｌは、図２の（ｂ）に示すように、突出部１４の大きさ分だけとなる。従って、この突出部１４から落下する水３０は、少なくとも当該木質壁材１０及び下側の木質壁材１０との境界部分に流れたり浸み込んだりすることはなく、図７に示したような現象は発生しない。勿論、上下の木質壁材１０が乾燥して、その境界部分に隙間が生じた場合であっても、各突出部１４の存在によって、これら木質壁材１０間の隙間に水３０は到達し得ないのであるから、図７に示した従来壁材とは異なって、水３０の浸み込みによる各木質壁材１０の腐食が早まることはないのである。
【００１５】
図２に示すような、各木質壁材１０の外側面１１下端に位置する四角または三角形状の突出部１４は、間伐材をその長尺方向に向けて連続的に加工するモールダーであって「１０軸」以上のものであれば簡単に形成できる。そのような、言わば大型なモールダーがなければ、図３〜図６に示すような形状で、突出部１４を形成すればよい。
【００１６】
図３及び図５に示す木質壁材１０では、裁置上面１３も裁置下面１５も設置後水平となるようにしたものであり、その場合の垂直線は、図２中の仮想線に示したようになる。そして、各木質壁材１０の外側面１１について、その下端部が垂直線に対して突出量Ｌだけ突出するように傾斜させてあり、これにより、各外側面１１の下端部が突出部１４となるのである。この場合も、上下両木質壁材１０の境界部分に水３０が浸み込むことはない。
【００１７】
図４及び図６に示す木質壁材１０では、外側面１１が下方外側に向けて傾斜してあることは図３に示す例と同様であるが、さらに、裁置上面１３と裁置下面１５との外側部分が、内側上方に向けて傾斜させてある。これにより、外側面１１の下端部に突出部１４が鋭角断面で突出形成されているのであり、その突出量Ｌは、図４中の仮想線で引き出したものとなる。この場合も、上下両木質壁材１０の境界部分に水３０が浸み込むことはない。なお、この突出部１４の下端は、当該木質壁材１０の裁置下面１５または下側木質壁材１０の裁置上面１３の各内側部分と同一位置になっている。
【００１８】
従って、この請求項１に係る木質壁材１０は、ログハウス２０の外壁２１を構成するために有効であって、建築当初は勿論、長期間使用後の乾燥があっても、水３０の浸み込みを確実に防止することができ、従来から使用されている工作機械でも容易に形成できるものとなっているのである。
【００１９】
また、上記課題を解決するために、請求項２に係る発明の採った手段は、上記請求項１に記載の木質壁材１０について、
「突出部１４は、外側面１１を下方外側に向かう傾斜面とすることにより形成したこと」
である。
【００２０】
すなわち、この請求項２に係る木質壁材１０では、上下両木質壁材１０間の隙間への水３０の浸み込みを阻止する突出部１４は、外側面１１を下方外側に向かう傾斜面とすることにより形成したものであり、上記請求項１の木質壁材１０について説明した図３〜図６にその具体的例が示してある。
【００２１】
図３及び図５に示す木質壁材１０では、裁置上面１３も裁置下面１５も設置後水平となるようにしたものであり、その場合の垂直線は、図２中の仮想線に示したようになる。そして、各木質壁材１０の外側面１１について、その下端部が垂直線に対して突出量Ｌだけ突出するように傾斜させてあり、これにより、各外側面１１の下端部が突出部１４となるのである。このような突出部１４であれば、複雑で大型のモールダーを使用しなくても形成できるのであり、かつ、間伐材の大部分を有効活用し得るのである。この場合も、上下両木質壁材１０の境界部分に水３０が浸み込むことはない。
【００２２】
図４及び図６に示す木質壁材１０では、外側面１１が下方外側に向けて傾斜してあることは図３に示す例と同様であるが、さらに、裁置上面１３と裁置下面１５との外側部分が、内側上方に向けて傾斜させてある。これにより、外側面１１の下端部に突出部１４が鋭角断面で突出形成されているのであり、その突出量Ｌは、図４中の仮想線で引き出したものとなる。このような突出部１４であれば、複雑で大型のモールダーを使用しなくても形成できるのであり、かつ、間伐材の大部分を有効活用し得ることは、上記図３及び図５に示した木質壁材１０と同様である。この場合も、上下両木質壁材１０の境界部分に水３０が浸み込むことはない。なお、この突出部１４の下端は、当該木質壁材１０の裁置下面１５または下側木質壁材１０の裁置上面１３の各内側部分と同一位置になっている。
【００２３】
従って、この請求項２に係る木質壁材１０は、上記請求項１に係るそれと同様な機能を発揮する他、大型のモールダーがなくても、水３０の浸み込みを確実に防止する突出部１４の形成を容易にしているのである。
【００２４】
さらに、上記課題を解決するために、請求項３に係る発明の採った手段は、上記請求項１または請求項２に記載の木質壁材１０について、
「木質壁材１０の裁置下面１５の、突出部１４が露出している部分に、隔離溝１８を長尺方向に形成したこと」
である。
【００２５】
この請求項３に係る木質壁材１０では、図５及び図６に示した木質壁材１０のように、木質壁材１０の裁置下面１５の、突出部１４が露出している部分に、隔離溝１８を長尺方向に形成したものであり、この隔離溝１８によって、水３０の、上下両木質壁材１０間の隙間に浸み込み得ないようにしたものである。
【００２６】
木質壁材１０の裁置下面１５に隔離溝１８が存在することによって、外側面１１の表面を流れ落ちてきた水３０は、仮に外壁２１全体が部屋側に傾斜していたとしても、この隔離溝１８を飛び越えて上下両木質壁材１０間の隙間に入ることはできない。勿論、その前に、水３０は突出部１４の下端から垂れ落ち、上下両木質壁材１０間の隙間に浸み込むことはない。
【００２７】
従って、この請求項３の木質壁材１０は、上記請求項１または２のそれと同様な機能を発揮する他、仮に外壁２１全体が部屋側に傾斜していたとしても、水３０の上下両木質壁材１０間の隙間への浸み込みを防止し得るものとなっているのである。
【発明の効果】
【００２８】
以上、説明した通り、本発明においては、
「外界と部屋とを区画するために、長尺方向を水平にしながら上下に複数積み重ねられて、ログハウス２０の外壁２１を構成することになる木質壁材１０であって、
この木質壁材１０の外側面１１の前記長尺方向に、下側の木質壁材１０における裁置上面１３の外側端縁より突出する突出部１４を連続的に形成して、この突出部１４を伝ってきた水３０が、当該木質壁材１０と下側の木質壁材１０との境界部分に浸み込み得ないようにしたこと」
にその構成上の特徴があり、これにより、ログハウス２０の外壁２１を構成するために有効であって、建築当初は勿論、長期間使用後の乾燥があっても、水３０の浸み込みを確実に防止することができ、従来から使用されている工作機械（モールダー）でも容易に形成できる木質壁材１０を、簡単な構成によって提供することができるのである。
【図面の簡単な説明】
【００２９】
【図１】本発明に係る木質壁材１０を使用して構成したログハウス２０の斜視図である。
【図２】同ログハウス２０の外壁２１を構成している木質壁材１０の第１例を示すもので、（ａ）は複数の木質壁材１０を水平状に積み上げた状態を示した拡大縦断面図、（ｂ）は（ａ）の部分拡大断面図である。
【図３】同木質壁材１０の第２例を示す部分縦断面図である。
【図４】同木質壁材１０の第３例を示す部分縦断面図である。
【図５】同木質壁材１０の第４例を示すもので、（ａ）は複数の木質壁材１０を水平状に積み上げた状態を示した拡大縦断面図、（ｂ）は（ａ）の部分拡大断面図である。
【図６】同木質壁材１０の第５例を示す部分縦断面図である。
【図７】従来技術を示す部分縦断面図である。
【図８】特許文献１に示された壁材の部分拡大斜視図である。
【発明を実施するための形態】
【００３０】
次に、上記のように構成した各請求項に係る発明を、図面に示した実施の形態である木質壁材１０について説明すると、図１には、本発明に係る木質壁材１０を使用して外壁２１を形成したログハウス２０の斜視図が示してある。
【００３１】
この木質壁材１０は、間伐材を利用しなくても形成できるものではあるが、この実施形態では、間伐材を利用して形成したものである。つまり、この木質壁材１０は、間伐材をモールダーに掛けて、その長尺方向に連続して加工することにより形成したもので、図２〜図６に示したように、第１例から第５例のものが考えられる。
【００３２】
なお、この木質壁材１０は、図２〜図６に示したように、略中央に切り込み１６を形成し、この切り込み１６の開口端は密閉材１７によって覆われ、この密閉材１７の外側が嵌合凹所１５ａとなっている。このような切り込み１６をわざわざ形成するのは、間伐材を使用するにせよ、大きな木を分割して使用するにせよ、当該木質壁材１０が長年の使用によって乾燥したときに、内部に「割れ」が発生して、木質壁材１０全体が使用できなくなる場合があるが、この切り込み１６を予め形成しておくことによって、そのような致命的な割れを防止するものである。
【００３３】
さて、図２には、本実施形態の木質壁材１０の第１例が示してあるが、各木質壁材１０の裁置上面１３には嵌合突起１３ａが形成してあり、この嵌合突起１３ａは、上側の木質壁材１０の上記嵌合凹所１５ａ内に嵌合されることになり、これによって、複数の木質壁材１０を積み上げたときの安定性が確保できるようにしてある。この点は、図８に示した特許文献１に示された壁材においても同様である。なお、図２に示した木質壁材１０における裁置上面１３は、嵌合突起１３ａの両側において、土台上面と平行となるようになっている。
【００３４】
また、この木質壁材１０の外側面１１は、内側面１２と同様に、これらの木質壁材１０を積み上げて外壁２１としたときに、鉛直方向になるように加工してある。つまり、この外側面１１は内側面１２と平行になっているのであり、これにより、これらの外側面１１及び内側面１２のモールダーによる加工が容易に行えるようになっている。
【００３５】
そして、この外側面１１の下端部には、外方に突出する突出部１４が一体的に形成してある。この突出部１４は、図２の（ｂ）の実線または仮想線にて示したように、端面形状が長方形状（実線部分）または三角形状（仮想線部分）となるように形成したもので、その先端から水３０が滴り落ち易い形状にしてある。
【００３６】
なお、これらの木質壁材１０は、図示しない土台上に順に積み重ね、組み込まれるものであり、最上段の木質壁材１０上には、ログハウス２０の梁２２等が乗せられる。
【００３７】
以上の突出部１４は、図２にも示したように、下側の木質壁材１０における裁置上面１３の外側端縁より長尺方向に連続して突出するものであり、雨などの水３０が各外側面１１を伝って流れ落ちれば、この突出部１４に到達した水３０は、図２の（ｂ）に示したように、この突出部１４の最外端から落下することになる。
【００３８】
この突出部１４の最外端は、下側の木質壁材１０における裁置上面１３の外側端縁より長尺方向に連続して突出しているのであるから、各木質壁材１０の外側面１１が鉛直方向に配置されていたとしても、この突出部１４の突出量Ｌは、図２の（ｂ）に示すように、突出部１４の大きさ分だけとなる。従って、この突出部１４から落下する水３０は、少なくとも当該木質壁材１０及び下側の木質壁材１０との境界部分に流れたり浸み込んだりすることはなく、図７に示したような現象は発生しない。勿論、上下の木質壁材１０が乾燥して、その境界部分に隙間が生じた場合であっても、各突出部１４の存在によって、これら木質壁材１０間の隙間に水３０は到達し得ないのであるから、図７に示した従来壁材とは異なって、水３０の浸み込みによる各木質壁材１０の腐食が早まることもないのである。
【００３９】
図３には、本実施形態の第２例に係る木質壁材１０が示してあるが、この木質壁材１０では、各外側面１１を外側下方に傾斜させることにより、突出部１４を形成するようにしたこと以外は、上記図２に示した木質壁材１０と同様である。つまり、この木質壁材１０では、各外側面１１が図３中の仮想線にて示した鉛直線に対して、その下部外面が順に下方外側に向かって傾斜するのであり、これによってできた突出部１４は、下側の木質壁材１０における裁置上面１３の外側端縁より突出量Ｌで突出することになるのである。
【００４０】
このように、各外側面１１を外側下方に傾斜させて突出部１４を形成する場合は、端面形状が複雑な第１例における突出部１４の場合とは異なって、間伐材の加工が簡単に済む。なお、この第２例及び上記第１例の木質壁材１０では、裁置上面１３も裁置下面１５も設置後水平となるようにしたものである。
【００４１】
図４には、木質壁材１０の第３例が示してあるが、この木質壁材１０では、外側面１１が下方外側に向けて傾斜してあることは図３に示す例と同様であるが、さらに、裁置上面１３と裁置下面１５との外側部分が、内側上方に向けて傾斜させてある。これにより、外側面１１の下端部に突出部１４が鋭角断面で突出形成されているのであり、その突出量Ｌは、図４中の仮想線で引き出したものとなる。この場合も、上下両木質壁材１０の境界部分に水３０が浸み込むことはない。なお、この突出部１４の下端は、当該木質壁材１０の裁置下面１５または下側木質壁材１０の裁置上面１３の各内側部分と同一位置になるようにしてある。
【００４２】
図５には、第４例である木質壁材１０が示してあるが、この木質壁材１０では、上記第２例（図３）で述べた突出部１４の下面に隔離溝１８が形成してある。この隔離溝１８は、下側の木質壁材１０における裁置上面１３の外側端縁より外側に位置させたものであり、突出部１４の先端から滴り落ちた水３０が、図５の（ｂ）にて示したように、両木質壁材１０の間の隙間に入るのを完全に阻止するものである。
【００４３】
図６には、第５例である木質壁材１０が示してあるが、この木質壁材１０では、上記第４例で述べた隔離溝１８が形成してあるが、この隔離溝１８は、下方に傾斜させた各裁置下面１５の外側部分に形成したものである。また、この第５例の実施形態に係る木質壁材１０では、外側面１１も外側下方に向けて傾斜させたものである。従って、この隔離溝１８は、下側の木質壁材１０における裁置上面１３の外側端縁より外側に傾斜状態で位置されており、この隔離溝１８の内側部分は外側部分より上方に位置するから、突出部１４の先端から滴り落ちた水３０が、両木質壁材１０の間の隙間に入ることは殆どない。
【産業上の利用可能性】
【００４４】
この木質壁材１０は、間伐材を無駄なく消費することができるだけでなく、間伐材の利用分野を拡大することにもなるから、間伐材の商品としての価格を上げることができる。このため、間伐材の販売を促進することができて、現在荒れている日本の山林での林道建設も促進できることになり、結果的に、山林の利用価値を高めることもできるのである。
【符号の説明】
【００４５】
１０    木質壁材
１１    外側面
１２    内側面
１３    裁置上面
１３ａ  嵌合突起
１４    突出部
１５    裁置下面
１５ａ  嵌合凹所
１６    切り込み
１７    密閉材
１８    隔離溝
２０    ログハウス
２１    外壁
２２    梁
３０    水
Ｌ    突出量
【図１】
2012077455.tif 000003
【図２】
2012077455.tif 000004
【図３】
2012077455.tif 000005
【図４】
2012077455.tif 000006
【図５】
2012077455.tif 000007
【図６】
2012077455.tif 000008
【図７】
2012077455.tif 000009
【図８】
2012077455.tif 000010